(57)【特許請求の範囲】
【請求項１】
放射能を帯びた固形分を含む水を容器内のフィルタによってろ過処理するろ過器のフィルタ交換方法において、
前記容器内のフィルタを取り出す際、前記ろ過器によるろ過処理中に前記容器内を遮へいする上蓋に代えて、前記フィルタの大きさに対応した大きさであって前記フィルタと同数の開口部と該開口部のそれぞれを塞ぐプラグとを有する仮蓋を用いて前記容器内を遮へいする工程を含む、
ことを特徴とするろ過器のフィルタ交換方法。
【請求項２】
請求項１に記載のろ過器のフィルタ交換方法において、
前記仮蓋を用いて前記容器内を遮へいした後、該容器内のフィルタのうちの一を取り出す際、該取り出すフィルタに対応した前記プラグのみを該仮蓋から取り外し、該取り出すフィルタに対応した前記開口部から該容器内に掴み冶具を挿入し、該掴み冶具によって該取り出すフィルタを掴んで該フィルタの該容器内への固定を解除して該容器内から取り出す工程を含む、
ことを特徴とするろ過器のフィルタ交換方法。
【請求項３】
請求項２に記載のろ過器のフィルタ交換方法において、
前記容器内からフィルタを取り出す際に、該フィルタを遮蔽カバー内に収納する、
ことを特徴とするろ過器のフィルタ交換方法。
【請求項４】
請求項３に記載のろ過器のフィルタ交換方法において、
前記容器内からフィルタを取り出す際に、該フィルタを電動チェーンブロックによって前記遮蔽カバー内に収納する、
ことを特徴とするろ過器のフィルタ交換方法。
【請求項５】
放射能を帯びた固形分を含む水を容器内のフィルタによってろ過処理するろ過器のフィルタ交換システムにおいて、
前記フィルタと前記フィルタを収納する容器と該容器から着脱可能でろ過処理中に前記容器内を遮へいする上蓋とを有するろ過器と、
前記上蓋に代えて前記容器に設置され前記容器内を遮へいする蓋であり、前記フィルタの大きさに対応した大きさであって前記フィルタと同数の開口部と該開口部のそれぞれを塞ぐプラグとを有する仮蓋と、
前記フィルタのうちの一を前記容器内から取り出す際に該取り出すフィルタに取り付けられる掴み冶具と、
前記フィルタのうちの一を前記容器内から取り出す際に該取り出すフィルタに対応した前記開口部を覆うように前記仮蓋の上方に設置され、前記容器内から取り出した前記フィルタの一を収納可能な遮蔽カバーと、
前記仮蓋を用いて前記容器内を遮へいした後、該容器内のフィルタのうちの一を取り出す際、該取り出すフィルタに対応した前記プラグのみを該仮蓋から取り外して表れる前記開口部を介して、該取り出すフィルタに取り付けられた前記掴み治具を引き上げて該フィルタを該容器内から前記仮蓋上の前記遮蔽カバー内に取り出すためのクレーン装置と、
を備えたことを特徴とするフィルタ交換システム。
【発明の詳細な説明】
【技術分野】
【０００１】
本発明は、ろ過器のフィルタ交換方法に関する。
【背景技術】
【０００２】
放射能を帯びた固形物を含む水を浄化する手段のひとつとして、フィルタによるろ過が挙げられる。特許文献１では、浄化対象の水をフィルタに通水することで、水に含まれる固形物を取り除くろ過器について開示している。
【先行技術文献】
【特許文献】
【０００３】
【特許文献１】特開２０１５−８５２６０号公報
【発明の概要】
【発明が解決しようとする課題】
【０００４】
ところで、ろ過器によってろ過処理を一定期間実施すると、フィルタの詰まりが発生するためフィルタの交換が必要となる。フィルタはろ過器の容器の中に設置されており、フィルタ交換の際にはその容器内から取り出す作業を実施することになる。
【０００５】
しかしながら、ろ過処理にて使用済みのフィルタは、放射能を帯びた固形物を含む水をろ過することで放射性物質を含んでおり、このため、使用済みのフィルタを容器内から取り出す際には、取り出し作業を実施する作業者の被ばくが懸念される。
【０００６】
本発明の目的は、作業者が極力被ばくしないで済むろ過器のフィルタ交換方法を提供することにある。
【課題を解決するための手段】
【０００７】
本発明は上記の目的を達成するために、放射能を帯びた固形分を含む水を容器内のフィルタによってろ過処理するろ過器のフィルタ交換方法において、前記容器内のフィルタを取り出す際、前記ろ過器によるろ過処理中に前記容器内を遮へいする上蓋に代えて、前記フィルタの大きさに対応した大きさであって前記フィルタと同数の開口部と該開口部のそれぞれを塞ぐプラグとを有する仮蓋を用いて前記容器内を遮へいする工程を含む、ことを特徴とする。
【発明の効果】
【０００８】
本発明によれば、作業者が極力被ばくしないで済むろ過器のフィルタ交換方法を提供することができる。
【０００９】
上記した以外の課題、構成及び効果は、以下の実施形態の説明により明らかにされる。
【図面の簡単な説明】
【００１０】
【図１】本発明によるろ過器のフィルタ交換方法の実施例１を適用可能なろ過器の概略を示す図であって、内部が見えるように切欠いて示す側断面図。
【図２】図１の容器１の上部に、上蓋６に代えて仮蓋７を被せた状態を示す図。
【図３】図１の容器１内から３本のフィルタ２のうちの１本を取り出す様子を示す図。
【図４】図１の容器１内から取り出したフィルタ２を遮へいカバー１０内に収納する様子を示す図。
【図５】本発明によるろ過器のフィルタ交換方法の実施例２を適用可能なろ過器の概略を示す図であって、内部が見えるように切欠いて示す側断面図。
【図６】図５の容器３内から取り出したフィルタ４を遮へいカバー１３内に収納する様子を示す図。
【発明を実施するための形態】
【００１１】
以下、図面を用いて、本発明の実施形態に係るろ過器のフィルタ交換方法について詳細に説明する。
【実施例１】
【００１２】
図１は、本発明によるろ過器のフィルタ交換方法の実施例１を適用可能なろ過器の概略を示す図であって、内部が見えるように切欠いて示す側断面図である。
【００１３】
ろ過器１００は、容器１内にフィルタ２を収納し、容器１内を遮へいするように容器１に上蓋６を被せてなる。ろ過処理すなわち放射能を帯びた固形物を含む水を浄化する際は、フィルタ２に浄化対象の水を通水することで、水に含まれる固形物を取り除く。なお、ろ過器１００内の浄化対象の水の流れについては、フィルタ２に通水されればよく、本発明の要部ではないので、詳しい説明を省略する。
【００１４】
本実施例では、容器１内に３本のフィルタ２が設けられており、このフィルタ２は、その底部を容器１の床部１ａに固定される。この固定は、例えば、不図示の係合部によって、各フィルタ２のそれぞれが転倒しないようにされる。この係合部による係合（フィルタ２の容器１内での固定）は、例えば、フィルタ２を回転させることで解除される。
【００１５】
図２は、図１の容器１の上部に、上蓋６に代えて仮蓋７を被せた状態を示す図である。
【００１６】
仮蓋７は、フィルタ２の大きさに対応した大きさの開口部７ａを、フィルタ２の位置に対応した位置に、フィルタ２の数と同じ数だけ有する。
【００１７】
なお、「フィルタ２の大きさに対応した大きさ」とは、仮蓋７を被せた容器１内から開口部７ａを通してフィルタ２を取り出すときに、仮蓋７とフィルタ２との間にほぼ隙間がない大きさのことである。
【００１８】
また、「フィルタ２の位置に対応した位置」とは、仮蓋７を被せた容器１内からフィルタ２を取り出すときに、フィルタ２が通過する位置のことである。
【００１９】
仮蓋７の開口部７ａはプラグ８で塞がれ、容器１内の放射性物質による放射能が外部に漏れるのを防ぐ。プラグ８は、仮蓋７に対して着脱可能に設けられている。
【００２０】
図３は、図１の容器１内から３本のフィルタ２のうちの１本を取り出す様子を示す図である。
【００２１】
それぞれのフィルタ２は１本ずつ容器１から取り出す。フィルタ２を取り出す際には、取り出すフィルタ２に対応したプラグ８のみを仮蓋７から外す。このようにすることによって、容器１内から放射能が外部に漏れる開口の大きさを極力小さくすることができる。
【００２２】
プラグ８を外した開口部７ａからフィルタ２を取り出す際には、作業者が直接フィルタ２に触れることのないように掴み冶具９でフィルタ２を掴む。これによって、掴み冶具９はフィルタ２に取り付けられる。
【００２３】
次に、ろ過器１００のフィルタ２を交換する際に、フィルタ２を取り出す手順について説明する。
【００２４】
図１に示したように、ろ過器１００によるろ過処理中には、開口部のない上蓋６を容器１に被せて、容器１内を遮へいする。その後、ろ過処理を終了し、フィルタ２を交換する際には、まず、ろ過器１００内の水をすべて排出する。
【００２５】
ろ過器１００内の水の排出が完了したならば、フィルタ２を取り出すために、上蓋６を容器１から取り外す必要があるが、上蓋６を取り外して容器１内を開放した状態では、フィルタ２がむき出しになり、被ばくの危険性が高まるため、上蓋６の代わりに、プラグ８で開口部７ａを塞いだ状態の仮蓋７を容器１に被せる。
【００２６】
なお、上蓋６から仮蓋７に交換する手間を省くために、上蓋６の代わりに仮蓋７を容器１に被せた状態でろ過処理を実行することが考えられるが、それは望ましくない。すなわち、仮蓋７は、プラグ８で塞がれているとはいえ開口部７ａを有するものであり、フィルタ交換作業中という短時間にのみ用いるのであれば問題はないが、ろ過処理中に常に仮蓋７を用いるのでは長時間にわたるので、ろ過器１００内の遮へいの信頼性が劣るという問題がある。このため、ろ過処理中は、開口部のない上蓋６を用いるのが望ましい。
【００２７】
仮蓋７を容器１に被せた後、複数のプラグ８のうちの一つ（図２では一番右のプラグ８）を仮蓋７から外し、そのプラグ８で塞いでいた開口部７ａを開放する。
【００２８】
その後、開放した開口部７ａから掴み冶具９を容器１内に挿入し、その開口部７ａの直下のフィルタ２を、挿入した掴み冶具９で掴んで開口部７ａを介して引き上げる。この引き上げの前に、フィルタ２を掴み冶具９で掴んだ状態でフィルタ２を回転させることで、フィルタ２の床部１ａへの固定は解除される。
【００２９】
図３に示したように、フィルタ２を掴み冶具９で掴んで引き上げる際、開口部７ａはフィルタ２で塞がれた状態になる。
【００３０】
ところで、図３に示したように、掴み冶具９で掴んでフィルタ２を引き上げている途中では、フィルタ２のうち仮蓋７よりも上の部分はむき出しの状態となるため、作業者はフィルタ２の放射能により、被ばくすることが懸念される。そこで本実施例では、図４に示す遮へいカバー１０にフィルタ２を収納する。
【００３１】
図４は、図１の容器１内から取り出したフィルタ２を遮へいカバー１０内に収納する様子を示す図である。
【００３２】
本実施例では、図３に示したようにフィルタ２がむき出しの状態にならないように、例えば、掴み冶具９でフィルタ２を掴んだ後に、開口部７ａの上部に遮へいカバー１０を設置し、さらにその上に電動チェーンブロック１１を設置する。
【００３３】
作業者の被ばく量を低減させるために、フィルタ２の引き抜きには、遮へいカバー１０を用いる。遮へいカバー１０は、前後左右の４方向を鉄板で囲んだ箱構造となっており、取り出すフィルタ２に対応した開口部７ａを覆うように仮蓋７の上方に設置されており、この遮へいカバー１０の中に容器１内から引上げたフィルタ２を収納することで、フィルタ２がむき出しにならず、フィルタ２から外部への放射能を低減させることが可能となる。
【００３４】
また、遮へいカバー１０の上部に電動チェーンブロック１１を取り付けることで、電動チェーンブロック１１で掴み冶具９を引き上げ、その掴み冶具９が掴んだフィルタ２ごと遮へいカバー１０内に収納することが可能となる。
【実施例２】
【００３５】
図５は、本発明によるろ過器のフィルタ交換方法の実施例２を適用可能なろ過器の概略を示す図であって、内部が見えるように切欠いて示す側断面図である。
【００３６】
ろ過器２００は、容器３内にフィルタ４を収納し、容器３内を遮へいするように容器３に上蓋１２を被せてなる。ろ過処理すなわち放射能を帯びた固形物を含む水を浄化する際は、フィルタ４に浄化対象の水を通水することで、水に含まれる固形物を取り除く。なお、ろ過器２００内の浄化対象の水の流れについては、フィルタ４に通水されればよく、本発明の要部ではないので、詳しい説明を省略する。
【００３７】
本実施例では、容器３内に３本のフィルタ４が設けられており、このフィルタ４は、その上部を容器３の上部に載置された管板５の下面に固定される。
【００３８】
次に、ろ過器２００のフィルタ４を交換する際に、フィルタ４を取り出す手順について説明する。
【００３９】
図５に示したように、ろ過器２００によるろ過処理中には、開口部のない上蓋１２を容器３に被せて、容器３内を遮へいする。その後、ろ過処理を終了し、フィルタ４を交換する際には、まず、ろ過器２００内の水をすべて排出する。
【００４０】
ろ過器２００内の水の排出が完了したならば、フィルタ４を取り出すために、上蓋１２を容器３から取り外す。本実施例では、上蓋１２を取り外しても、容器３内は管板５によって遮へいされ、フィルタ４がむき出しになることがないので、実施例１の仮蓋７に相当する仮蓋を設ける必要がない。ただし、管板５の下面に固定されたフィルタ４を容器３内から取り出す際には、フィルタ４はむき出しになってしまう。そこで本実施例では、図６に示す遮へいカバー１３にフィルタ４を収納する。
【００４１】
図６は、図５の容器３内から取り出したフィルタ４を遮へいカバー１３内に収納する様子を示す図である。
【００４２】
本実施例では、フィルタ４がむき出しの状態にならないように、上蓋１２を取り外した後に、管板５の上部に遮へいカバー１３を設置し、さらにその上に電動チェーンブロック１４を設置する。
【００４３】
遮へいカバー１３は、管板５を容器３内から引き上げたことで生じる開口を覆うように容器３の上方に設置され、電動チェーンブロック１４によって容器３内から取り出したフィルタ４を収納する。
【００４４】
フィルタ４を取り出す際には、電動チェーンブロック１４を用いて管板５を引き上げることで、管板５ごとフィルタ４を容器３内から取り出す。このとき、作業者の被ばく量を低減させるために、フィルタ４を遮へいカバー１３内に収納する。遮へいカバー１３は、前後左右の４方向を鉄板で囲んだ箱構造となっており、この遮へいカバー１３の中に容器３内から引上げたフィルタ４を管板５とともに収納することで、フィルタ４がむき出しにならず、フィルタ４から外部への放射能を低減させることが可能となる。
【００４５】
（付記）
なお、以上説明した本発明は以下の構成を備える場合がある。
【００４６】
１．
放射能を帯びた固形分を含む水を容器内のフィルタによってろ過処理するろ過器のフィルタ交換方法において、
前記容器内のフィルタを取り出す際、前記ろ過器によるろ過処理中に前記容器内を遮へいする上蓋に代えて、前記フィルタの大きさに対応した大きさであって前記フィルタと同数の開口部と該開口部のそれぞれを塞ぐプラグとを有する仮蓋を用いて前記容器内を遮へいする工程を含む、
ことを特徴とするろ過器のフィルタ交換方法とし、
このように構成することで、
・フィルタを取り出す際、開口部の大きさだけを開放すればよいので、開放量が小さく、作業者が極力被ばくしないで済むろ過器のフィルタ交換方法を提供することができる。
【００４７】
２．
１．に記載のろ過器のフィルタ交換方法において、
前記仮蓋を用いて前記容器内を遮へいした後、該容器内のフィルタのうちの一を取り出す際、該取り出すフィルタに対応した前記プラグのみを該仮蓋から取り外し、該取り出すフィルタに対応した前記開口部から該容器内に掴み冶具を挿入し、該掴み冶具によって該取り出すフィルタを掴んで該フィルタの該容器内への固定を解除して該容器内から取り出す工程を含む、
ことを特徴とするろ過器のフィルタ交換方法とし、
このように構成することで、
・作業者が直接フィルタに触れずに済み、作業者が極力被ばくしないで済むろ過器のフィルタ交換方法を提供することができる。
【００４８】
３．
２．に記載のろ過器のフィルタ交換方法において、
前記容器内からフィルタを取り出す際に、該フィルタを遮蔽カバー内に収納する、
ことを特徴とするろ過器のフィルタ交換方法とし、
このように構成することで、
・容器内から取り出したフィルタが遮へいカバー内に収納されるので、作業者が極力被ばくしないで済むろ過器のフィルタ交換方法を提供することができる。
【００４９】
４．
３．に記載のろ過器のフィルタ交換方法において、
前記容器内からフィルタを取り出す際に、該フィルタを電動チェーンブロックによって遮蔽カバー内に収納する、
ことを特徴とするろ過器のフィルタ交換方法とし、
このように構成することで、
・作業者が手作業でフィルタを取り出すことがないので、作業者が極力被ばくしないで済むろ過器のフィルタ交換方法を提供することができる。
【００５０】
５．
放射能を帯びた固形分を含む水を容器内のフィルタによってろ過処理するろ過器のフィルタ交換方法において、
前記容器内のフィルタは、前記容器内の上部に設けた管板の下方に固定されたものであって、
前記容器内のフィルタを取り出す際、前記ろ過器によるろ過処理中に前記容器内を遮へいする上蓋を該容器から外し、前記管板を上方に引き上げることによって該容器内のフィルタを該管板とともに該容器内から取り出す、
ことを特徴とするろ過器のフィルタ交換方法とし、
このように構成することで、
・容器内は管板で遮へいされた状態でフィルタを取り出すことができるので、作業者が極力被ばくしないで済むろ過器のフィルタ交換方法を提供することができる。
【００５１】
６．
５．に記載のろ過器のフィルタ交換方法において、
前記容器内からフィルタを取り出す際に、該フィルタを遮蔽カバー内に収納する、
ことを特徴とするろ過器のフィルタ交換方法とし、
このように構成することで、
・容器内から取り出したフィルタが遮へいカバー内に収納されるので、作業者が極力被ばくしないで済むろ過器のフィルタ交換方法を提供することができる。
【００５２】
７．
６．に記載のろ過器のフィルタ交換方法において、
前記容器内からフィルタを取り出す際に、該フィルタを電動チェーンブロックによって遮蔽カバー内に収納する、
ことを特徴とするろ過器のフィルタ交換方法とし、
このように構成することで、
・作業者が手作業でフィルタを取り出すことがないので、作業者が極力被ばくしないで済むろ過器のフィルタ交換方法を提供することができる。
【００５３】
８．
放射能を帯びた固形分を含む水を容器内のフィルタによってろ過処理するろ過器のフィルタ交換システムにおいて、
前記フィルタと前記フィルタを収納する容器と該容器から着脱可能でろ過処理中に前記容器内を遮へいする上蓋とを有するろ過器と、
前記上蓋に代えて前記容器に設置され前記容器内を遮へいする蓋であり、前記フィルタの大きさに対応した大きさであって前記フィルタと同数の開口部と該開口部のそれぞれを塞ぐプラグとを有する仮蓋と、
前記フィルタのうちの一を前記容器内から取り出す際に該取り出すフィルタに取り付けられる掴み冶具と、
前記フィルタのうちの一を前記容器内から取り出す際に該取り出すフィルタに対応した前記開口部を覆うように前記仮蓋の上方に設置され、前記容器内から取り出した前記フィルタの一を収納可能な遮蔽カバーと、
前記仮蓋を用いて前記容器内を遮へいした後、該容器内のフィルタのうちの一を取り出す際、該取り出すフィルタに対応した前記プラグのみを該仮蓋から取り外して表れる前記開口部を介して、該取り出すフィルタに取り付けられた前記掴み治具を引き上げて該フィルタを該容器内から前記仮蓋上の前記遮蔽カバー内に取り出すためのクレーン装置（例えば、電動チェーンブロック１１）と、
を備えたことを特徴とするフィルタ交換システムとし、
このように構成することで、
・作業者が極力被ばくしないで済むろ過器のフィルタ交換方法を提供することができる。
【００５４】
９．
放射能を帯びた固形分を含む水を容器内のフィルタによってろ過処理するろ過器のフィルタ交換システムにおいて、
前記フィルタと前記フィルタを収納する容器と前記フィルタを下面に固定し前記容器内に前記フィルタを収納した状態で前記容器の上部に設けられる管板と前記容器から着脱可能でろ過処理中に前記容器内を遮へいする上蓋とを有するろ過器と、
前記上蓋を取り外した前記容器の上方へ前記管板を引き上げて該管板ごと前記フィルタを該容器内から取り出すクレーン装置（例えば、電動チェーンブロック１４）と、
前記管板を前記容器内から引き上げたことで生じる開口を覆うように該容器の上方に設置され、前記クレーン装置によって該容器内から取り出した前記フィルタを収納する遮蔽カバーと、
を備えたことを特徴とするフィルタ交換システムとし、
このように構成することで、
・作業者が極力被ばくしないで済むろ過器のフィルタ交換方法を提供することができる。
【００５５】
１０．
放射能を帯びた固形分を含む水を、フィルタを用いて処理した後、使用済みのフィルタを１本ずつ交換するためにフィルタ容器を開放する際に、作業者の被ばく量低減のために、解放部を極力少なくするよう、フィルタ直上部に穴の開いた仮蓋を設置することを特徴とする。
【００５６】
１１．
放射性物質を含むフィルタ交換時に作業者の被ばく量低減のため、フィルタ直上部に穴の開いた仮蓋を設置し、穴にプラグを設置することを特徴とする。
【００５７】
１２．
放射性物質を含むフィルタを容器から引抜く際に、フィルタに直接手を触れずに、フィルタの容器への固定が解除可能であり、容器から引抜きが可能な掴み冶具を用いたことを特徴とする。
【００５８】
１３．
放射性物質を含むフィルタを容器から引抜く際に作業者の被ばく量を低減させるため、引抜いたフィルタがむき出しとならないように、フィルタ１本が内部に収納可能な遮へいカバーを用いてフィルタの引抜きを実施することを特徴とする。
【００５９】
１４．
放射性物質を含むフィルタ１本を容器から引抜く際に、作業者の被ばく量を低減させるため、フィルタを、電動チェーンブロックを用いて遮へいカバー内部に収納することを特徴とする。
【００６０】
１５．
放射能を帯びた固形分を含む水を、フィルタを用いて処理した後、使用済みのフィルタをフィルタが固定された管板ごと引抜く際に、作業者の被ばく量低減のために、フィルタと管板が内部に収納可能な遮へいカバーを用いてフィルタの引抜きを実施することを特徴とする。
【００６１】
１６．
放射性物質を含むフィルタとフィルタが固定された管板を容器から引抜く際に、作業者の被ばく量を低減させるため、フィルタと管板を、電動チェーンブロックを用いて遮へいカバー内部に収納することを特徴とする。
【００６２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６３】
１…容器、２…フィルタ、３…容器、４…フィルタ、５…管板、６…上蓋、７…仮蓋、７ａ…開口部、８…プラグ、９…掴み冶具、１０…遮へいカバー、１１…電動チェーンブロック、１２…上蓋、１３…遮へいカバー、１４…電動チェーンブロック、１００…ろ過器、２００…ろ過器
【図１】
0006570936.tif 000002
【図２】
0006570936.tif 000003
【図３】
0006570936.tif 000004
【図４】
0006570936.tif 000005
【図５】
0006570936.tif 000006
【図６】
0006570936.tif 000007